(57)【要約】【課題】  キートップに照明光が与えられるキーボード装置を簡単な構造で薄型に構成できるようにする。【解決手段】  支持基板部１０が、照光板１１とその上のメンブレン積層体１３と照光板１１の下面に重ねられた反射シート１２とで構成されている。キーユニット２０は、ユニットベース２１と、ユニットベース２１上で動作自在に支持された昇降支持機構３０と、昇降支持機構３０で昇降自在に支持されるキートップ２ａとで構成されている。ユニットベース２１から取付け突起２６，２７が折り曲げられており、取付け突起２６，２７は、メンブレン積層体１３の逃げ穴１３ｂ，１３ｃを通過し、照光板１１の支持穴１１ａに挿入され、取付け突起２６，２７の下端が、照光板１１の下側の反射シート１２の下面に曲げられて、ユニットベース２１が実質的に照光板１１に固定されている。【選択図】図１
2013171714.tif 000002
【特許請求の範囲】
【請求項１】
キートップを昇降自在に支持する昇降支持機構と、前記キートップで押されて動作するスイッチ部とが複数配列したキーボード装置において、
照明光を伝達する透光性の照光板の上に、複数のスイッチ部を有するメンブレン積層体が重ねられて、前記メンブレン積層体は、少なくとも前記キートップと対向する領域が透光性であり、
前記昇降支持機構を支持するユニットベースが前記メンブレン積層体の上に設置され、前記ユニットベースに設けられた複数の取付け突起が、前記メンブレン積層体を通過して、前記照光板に形成された支持穴に挿入されて前記ユニットベースが支持されていることを特徴とするキーボード装置。
【請求項２】
前記取付け突起が、前記照光板の下面で折り曲げられている請求項１記載のキーボード装置。
【請求項３】
前記照光板の下面に反射シートが設けられ、前記取付け突起が前記反射シートに形成された穴に挿入されて、反射シートの下面で折り曲げられている請求項１記載のキーボード装置。
【請求項４】
前記反射シートの下側に金属製の補強板が設けられている請求項２または３記載のキーボード装置。
【請求項５】
前記照光板の下側に金属製の補強板が設けられ、前記取付け突起が、前記補強板に形成された支持穴に挿入されて、前記補強板の下面で折り曲げられている請求項１記載のキーボード装置。
【請求項６】
前記メンブレン積層体に、隣り合うキートップの間で光の透過を規制する遮蔽部が設けられている請求項１ないし５のいずれかに記載のキーボード装置。
【請求項７】
前記取付け突起が平板形状で、前記照光板に形成された支持穴が長穴であり、光源から前記照光板に対し、前記長穴の長手方向に向く光が与えられる請求項１ないし６のいずれかに記載のキーボード装置。
【発明の詳細な説明】
【技術分野】
【０００１】
本発明は、キートップとスイッチ部が複数配列したキーボード装置に係り、特にキートップに照明光を与えることができるキーボード装置に関する。
【背景技術】
【０００２】
パーソナルコンピュータなどのキーボード装置は、複数のキートップを有している。それぞれのキートップは、２つのリンクが回動自在に連結された昇降支持機構によって昇降自在に支持されており、キートップが押されると弾性部材を介してメンブレン積層体で構成されたスイッチ部が押されてスイッチ回路が切り換えられる。
【０００３】
以下の特許文献１，２に、キートップに照明光を与えることができるキーボード装置が開示されている。
【０００４】
特許文献１に記載された照光キーボード装置は、複数の支持突起を有するシートの上にメンブレン回路基板が設置され、複数の支持突起が、メンブレン回路基板に形成された穴の内部に位置している。前記支持突起に一対の連結部材が回動自在に支持され、一対の連結部材によってキャップ（キートップ）が昇降自在に支持されている。前記シートの下面にライトガイドと反射シートとが重ねられており、ライトガイドで伝達された照明光が、前記シートに形成された穴の内部を通過してキャップに与えられる。
【０００５】
特許文献２に記載された発光キーボードは、キーボードベースにキー接続部が突出して設けられており、キーボードベースの上に、反射シートと導光板が重ねられ、その上に薄膜回路板と薄膜回路板のスイッチ部を押圧する弾性部材が設けられている。前記キー接続部は、反射シートと導光板および薄膜回路板に形成された穴から上方へ突出しており、キートップを支持するシザース部材が前記キー接続部に取り付けられている。
【０００６】
特許文献２に記載された発光キーボード装置は、キーボードベースの上に設置された導光板で案内された光がキートップに与えられる。
【先行技術文献】
【特許文献】
【０００７】
【特許文献１】米国特許明細書第６，８６０，６１２号公報
【特許文献２】特開２０１０−２４４５０８号公報
【発明の概要】
【発明が解決しようとする課題】
【０００８】
特許文献１に記載された照光キーボード装置は、シートに複数の支持突起が設けられ、この支持突起に一対の連結部材が回動自在に支持された構造であるため、前記シートが複雑な構造であり部品コストが高くなる。
【０００９】
特許文献２に記載された発光キーボードも、キーボードベースにキー接続部が突出し、キートップを支持するシザース部材がキー接続部に支持された構造である。複数のキー接続部が突出したキーボードベースは構造が複雑であり部品コストが高くなる。
【００１０】
さらに、前記シートや前記キーボードベースは、支持突起やキー接続部が一体に形成された構造であるために厚い構造となる。このシートやキーボードベースに照光板とメンブレン積層体とが重ねられるために、キーボード装置全体を薄型化しにくくなる。
【００１１】
本発明は上記従来の課題を解決するものであり、照光板とメンブレン積層体が重ねられた支持基板部の上にキートップを支持する昇降支持機構が設置されており、前記支持基板部の構造を簡単にし且つ薄型化して、装置全体を薄型化できるようにしたキーボード装置を提供することを目的としている。
【課題を解決するための手段】
【００１２】
本発明は、キートップを昇降自在に支持する昇降支持機構と、前記キートップで押されて動作するスイッチ部とが複数配列したキーボード装置において、
照明光を伝達する透光性の照光板の上に、複数のスイッチ部を有するメンブレン積層体が重ねられて、前記メンブレン積層体は、少なくとも前記キートップと対向する領域が透光性であり、
前記昇降支持機構を支持するユニットベースが前記メンブレン積層体の上に設置され、前記ユニットベースに設けられた複数の取付け突起が、前記メンブレン積層体を通過して、前記照光板に形成された支持穴に挿入されて前記ユニットベースが支持されていることを特徴とするものである。
【００１３】
本発明のキーボード装置は、キートップを支持する昇降支持機構がユニットベースに支持され、ユニットベースに設けられた取付け突起が照光板の支持穴に挿入されて支持されている。したがって、従来のように昇降支持機構を支持するための突起を有する基板を設ける必要がなく、昇降支持機構を支持する支持基板部の構造を簡単にできる。また、前記突起を有する基板が不要であるため、支持基板部を薄型化しやすくなる。
【００１４】
本発明は、前記取付け突起が、前記照光板の下面で折り曲げられている。または、前記照光板の下面に反射シートが設けられ、前記取付け突起が前記反射シートに形成された穴に挿入されて、反射シートの下面で折り曲げられている。
【００１５】
上記構造では、ユニットベースが、実質的に照光板に固定され、支持基板部が照光板を基本として構成されるため、支持基板部の構造を簡単にでき、薄型化が可能になる。
【００１６】
この場合に、前記反射シートの下側に金属製の補強板が設けられているものであってもよい。
【００１７】
また、本発明は、前記照光板の下側に金属製の補強板が設けられ、前記取付け突起が、前記補強板に形成された支持穴に挿入されて、前記補強板の下面で折り曲げられているものであってもよい。
【００１８】
上記補強板は、照光板を補強するものであるため、薄い金属板を使用でき、この金属板は昇降支持機構を支持する必要がないので、単純な平板で構成でき、支持基板部を薄型に構成できる。
【００１９】
本発明は、前記メンブレン積層体に、隣り合うキートップの間で光の透過を規制する遮蔽部が設けられていることが好ましい。
【００２０】
また、本発明は、前記取付け突起が平板形状で、前記照光板に形成された支持穴が長穴であり、光源から前記照光板に対し、前記長穴の長手方向に向く光が与えられるものが好ましい。
【発明の効果】
【００２１】
本発明のキーボード装置は、照光板をキーユニットを支持する支持部として使用しているため、支持基板部に突起を有する金属板などを設ける必要がなくなり、支持基板部の構造を簡単にでき、キーボード装置を薄型化することが可能になる。
【図面の簡単な説明】
【００２２】
【図１】本発明の第１の実施の形態のキーボード装置の一部を示す断面図、
【図２】複数のキーユニットが配列したキーボード装置の一例を示す平面図、
【図３】第１の実施の形態のキーボード装置の分解斜視図、
【図４】キーユニットの分解斜視図、
【図５】本発明の第２の実施の形態のキーボード装置の一部を示す断面図、
【図６】本発明の第３の実施の形態のキーボード装置の一部を示す断面図、
【図７】本発明の第４の実施の形態のキーボード装置に使用されるユニットベースと照光板の斜視図、
【発明を実施するための形態】
【００２３】
本発明の実施の形態のキーボード装置１は、図１と図３に示す支持基板部１０を有している。支持基板部１０の上に複数組のキーユニット２０が固定されている。それぞれのキーユニット２０にキートップが昇降自在に支持されている。
【００２４】
図２に示すように、キーボード装置１には、種々の大きさのキートップ２ａ，２ｂ，２ｃ，２ｄ，・・・が配列しており、それぞれのキートップが、図１に示すキーユニット２０に支持されている。以下では、複数種類のキートップ２ａ，２ｂ，２ｃ，２ｄ，・・・のうち、主にキートップ２ａを支持するキーユニット２０について説明する。
【００２５】
図１と図３に示すように、支持基板部１０は照光板１１を有している。照光板１１はポリカーボネート板またはアクリル板などの透光性の合成樹脂板で構成されている。照光板１１は、フィルムとは異なり自由に変形しない剛性を有している。照光板１１の板厚は、０．５ｍｍ以上が好ましくさらに１．０ｍｍ以下が好ましいが、板厚はこの寸法に限定されるものではない。
【００２６】
それぞれのキーユニット２０が取り付けられるキー実装部において、図示していないが、照光板１１の下面１１ｂに細かな凹凸の乱反射部が形成されている。キーボード装置１には、照光板１１の板厚の内部に光を供給するための図示しないＬＥＤなどの光源が設けられている。光源から照光板１１の内部に与えられた光は、照光板１１の内部を伝播し、前記乱反射部で反射され、照光板１１の表面１１ｃから上方へ出て、それぞれのキーユニット２０に照明光が与えられる。
【００２７】
それぞれのキートップ２ａが配置されるキー実装部では、照光板１１に４箇所の支持穴１１ａが開口している。
【００２８】
照光板１１の下側に反射シート１２が設けられている。反射シート１２は照光板１１とほぼ同じ面積を有している。反射シート１２は、照光板１１よりも薄くて変形が容易な樹脂フィルムであり、照光板１１に対面する表面１２ｂが白色や金属色などの光を反射しやすい色に着色されている。反射シート１２には、照光板１１の支持穴１１ａと対面する部分に穴１２ａが開口している。
【００２９】
照光板１１の表面１１ｃにメンブレン積層体１３が重ねられている。メンブレン積層体１３は下部フィルムと上部フィルムが重ねられて構成されている。下部フィルムと上部フィルムは、照光板１１とほぼ同じ面積を有している。下部フィルムと上部フィルムとの間に、スペーサフィルムが挟まれている。スペーサフィルムには、それぞれのキー実装部の中央に位置する穴が形成され、この穴の内部で下部フィルムと上部フィルムのそれぞれの内面に接点が形成されており、接点どうしが空隙部を介して対向するスイッチ部が構成されている。
【００３０】
または、メンブレン積層体１３が下部フィルムと上部フィルムとで構成され、いずれかのフィルムの対向面にスペーサ層が印刷されているものであってもよい。
【００３１】
メンブレン積層体１３を構成する下部フィルムと上部フィルムならびにスペーサフィルムは透光性の合成樹脂材料で形成されている。図３に示すように、メンブレン積層体１３の表面１３ａすなわち上部フィルムの表面に、印刷工程や塗装工程によって光を遮断する色相である黒色や濃緑色などの着色層が設けられ、この着色層が設けられた部分が遮蔽部１４となっている。
【００３２】
メンブレン積層体１３の表面１３ａには、前記遮蔽部１４で囲まれた四角形状の領域に、前記着色層が設けられていない透光部１５が形成されている。透光部１５は、それぞれのキーユニット２０が実装されるキー実装部に設けられている。透光部１５は、その上に設置されるキートップ２ａの真下に位置し且つキートップ２ａの面積よりも小さい領域に形成されている。照光板１１の表面１１ｃから上方へ放出される照明光は、遮蔽部１４で遮られるとともに、照明光の一部が透光部１５を透過してその上のキートップ２ａに与えられる。
【００３３】
図１に示すように、キーボード装置１では、複数のキートップ２ａ，２ｂ，２ｃ，２ｄ，・・・が小さい隙間を空けて並んでいるが、この隙間の真下に遮蔽部１４が位置しているため、照光板１１の表面１１ｃから上向きに与えられる光が、キートップの隙間から上方へ洩れにくくなっている。
【００３４】
図３に示すように、メンブレン積層体１３のそれぞれのキー実装部に４箇所ずつの逃げ穴１３ｂ，１３ｂ，１３ｃ，１３ｃが開口している。逃げ穴１３ｂ，１３ｂ，１３ｃ，１３ｃは前記透光部１５に形成されている。
【００３５】
図４に示すように、支持基板部１０のそれぞれのキー実装部に実装されるキーユニット２０は、ユニットベース２１とその上に設置される昇降支持機構（支持リンク機構）３０とを有している。
【００３６】
実施の形態のキーユニット２０は、１個のユニットベース２１に１組の昇降支持機構３０と１個のキートップ２ａが組み込まれている。しかし、１個のユニットベース２１の上に２組またはそれ以上の組の昇降支持機構３０と２個またはそれ以上のキートップが取り付けられていてもよい。
【００３７】
図４に示すように、ユニットベース２１は金属板で形成されており、平坦な枠形状のベース部２２を有し、ベース部２２の中央部に開口部２３が形成されている。ベース部２２のＸ１−Ｘ２側に支持片２４，２４が設けられている。それぞれの支持片２４にはＹ２側に支持穴２４ａが開口している。支持片２４，２４よりも内側で且つＹ１側には、ベース部２２から掛止片２５，２５が上向きに折り曲げられており、それぞれの掛止片２５にＹ１方向に開口する掛止凹部２５ａが形成されている。
【００３８】
ユニットベース２１のＹ１側には、一対の取付け突起２６，２６が折り曲げられており、Ｙ２側には、一対の取付け突起２７，２７が折り曲げられている。取付け突起２６，２６と取付け突起２７，２７は、折り曲げ方向が互いに９０度相違している。
【００３９】
図４に示すように、昇降支持機構３０は、第１のリンク３１と第２のリンク３２とを有している。第１のリンク３１と第２のリンク３２は合成樹脂材料で形成されている。
【００４０】
第１のリンク３１は、４辺を囲む枠状のフレーム部３３と、フレーム部３３の中央部に開口する大きな面積の開口部３４を有している。第１のリンク３１のＹ２側には、Ｘ１方向とＸ２方向へ突出する一対の基部支持軸３５，３５が一体に形成されている。Ｙ１側には、Ｘ１方向とＸ２方向へ突出する一対の先部支持軸３６，３６が一体に形成されている。
【００４１】
第１のリンク３１のフレーム部３３には、開口部３４のＸ１側とＸ２側に連結凹部３７，３７が形成されている。連結凹部３７，３７は上向きに開口している。
【００４２】
第２のリンク３２は、第１のリンク３１の開口部３４の内部に入り込める大きさに形成されている。第２のリンク３２にはＸ１方向とＸ２方向へ突出する一対の連結突起３８，３８が設けられている。第２のリンク３２が第１のリンク３１の開口部３４内へ下向きに装着されると、連結突起３８，３８がそれぞれ連結凹部３７，３７に入り込み、図３に示すように、第２のリンク３２が第１のリンク３１の内部に装着される。そして、第１のリンク３１と第２のリンク３２が、それぞれの連結突起３８，３８と連結凹部３７，３７との嵌合部を支点として、互いに回動自在に連結される。
【００４３】
第２のリンク３２には、Ｙ１側においてＸ１方向とＸ２方向へ突出する基部支持軸４１，４１が一体に形成され、Ｙ２側において、Ｘ１方向とＸ２方向へ突出する先部支持軸４２，４２が一体に形成されている。第２のリンク３２の中央部に円形の開口部３９が形成されている。
【００４４】
ユニットベース２１と昇降支持機構３０とを組み立てるときは、図４に示すように、ユニットベース２１の一対の支持片２４，２４をベース部２２に対して９０度よりも広い角度で折り曲げておく。第１のリンク３１の開口部３４の内部に第２のリンク３２を装着した後に、第２のリンク３２の基部支持軸４１，４１を、ユニットベース２１の掛止凹部２５ａ，２５ａに掛止させる。そして、支持片２４，２４をベース部２２に対して垂直な角度まで折り曲げることにより、支持片２４，２４に形成された支持穴２４ａ，２４ａが、第１のリンク３１の基部支持軸３５，３５の外側に挿通されて、図３に示すように、ユニットベース２１に昇降支持機構３０が組み込まれる。
【００４５】
図１と図３に示すように、それぞれのキー実装部では、メンブレン積層体１３のスイッチ部の上に弾性部材５０が設置される。弾性部材５０は透光性の合成ゴム材料で形成されており、キートップ２ａに当たる上部当接部５１と、メンブレン積層体１３の上に設置される下部当接部５２と、その中間の薄肉の弾性変形部５３を有している。下部当接部５２と弾性変形部５３の内側は空隙部であり、この空隙部内に、上部当接部５１から下側へ延びる押圧部５４が形成されている。
【００４６】
弾性部材５０は、支持基板部１０にキーユニット２０が取り付けられる前に、メンブレン積層体１３の表面１３ａに接着剤などで固定されている。キーユニット２０が支持基板部１０に取り付けられるときに、前記弾性部材５０が、第２のリンク３１の円形の開口部３９の内部に入り込む。
【００４７】
支持基板部１０の上にユニットベース２１が取り付けられるときは、Ｙ１側に形成された一対の取付け突起２６，２６が、メンブレン積層体１３の逃げ穴１３ｂ，１３ｂに挿入され、さらに照光板１１に形成された支持穴１１ａ，１１ａおよび反射シート１２に形成された穴１２ａ，１２ａに挿通される。また、ユニットベース２１のＹ２側に形成された一対の取付け突起２７，２７が、メンブレン積層体１３の逃げ穴１３ｃ，１３ｃに挿入され、さらに照光板１１に形成された支持穴１１ａ，１１ａおよび反射シート１２に形成された穴１２ａ，１２ａに挿通される。
【００４８】
図１に示すように、ユニットベース２１のベース部２２が、支持基板部１０のメンブレン積層体１３の表面１３ａに設置された状態で、取付け突起２６，２６および取付け突起２７，２７が、反射シート１２の下面で折り曲げられる。支持基板部１０では、照光板１１が最も剛性が高いため、取付け突起２６，２６および取付け突起２７，２７の折り曲げによる固定力がユニットベース２１で支えられて、ユニットベース２１が実質的に照光板１１に固定される。
【００４９】
図１に示すように、キートップ２ａの下面には、Ｙ２側において一対の嵌合突起６１がＸ方向に間隔を空けて一対設けられている。それぞれの嵌合突起６１に嵌合支持凹部６２が形成されている。キートップ２ａの下面のＹ１側に、フック部６３がＸ方向に間隔を空けて一対設けられている。それぞれのフック部６３にはＹ１方向に開放された摺動凹部６４が形成されている。
【００５０】
支持基板部１０にキーユニット２０が取り付けられた後に、第１のリンク３１の先部支持軸３６，３６をフック部６３の摺動凹部６４にＹ２方向へ向けて挿入した後に、第２のリンク３２の先部支持軸４２，４２を、嵌合支持凹部６２の内部に嵌合させることで、キートップ２ａがキーユニット２０の昇降支持機構３０に組み付けられる。
【００５１】
図１に示すように、キーボード装置１の個々のキーユニット２０では、弾性部材５０の弾性力でキートップ２ａが上方へ持ち上げられている。指でキートップ２ａが下向きに押されると、第１のリンク３１の基部支持軸３５，３５が、ユニットベース２１の支持穴２４ａ，２４ａの内部で回動し、第２のリンク３２の先部支持軸４２，４２が、キートップ２ａの嵌合支持凹部６２の内部で回動する。また、第２のリンク３２の基部支持軸４１，４１が、ユニットベース２１の掛止凹部２５ａ，２５ａ内を摺動し、第１のリンク３１の先部支持軸３６，３６がキートップ２ａの摺動凹部６４，６４内を摺動し、これによりキートップ２ａが下降する。
【００５２】
キートップ２ａが下降すると、弾性部材５０の弾性変形部５３が押しつぶされ、弾性部材５０の押圧部５４で、メンブレン積層体１３のスイッチ部が押されて接点どうしが接触し、キー入力信号を発生させることができる。
【００５３】
上記実施の形態のキーボード装置１は、キーユニット２０のユニットベース２１が実質的に照光板１１に固定されている。支持基板部１０は、照光板１１と反射シート１２およびメンブレン積層体１３で構成されているため、支持基板部１０を薄くでき、キーボード装置１の全体を薄型に構成できる。また、従来のように、支持基板部１０に、昇降支持機構（支持リンク機構）３０を回動自在に支持するための突起部を設ける必要がなく、照光板１１に支持穴１１ａを形成するだけでキーユニット２０を固定できるため、キーユニット２０の固定構造を簡単に構成できる。
【００５４】
また、キーボード装置１に設けられたＬＥＤなどの光源から発せられる光は、キーユニット２０を支持している照光板１１の内部を通過し、照光板１１の下面１１ｂの乱反射部で反射され、照光板１１の表面１１ｃから上方へ出て、メンブレン積層体１３の透光部１５を通過してキートップ２ａに与えられる。そして、図２に示すように、それぞれのキートップ２ａ，２ｂ，２ｃ，２ｄ，・・・に形成された文字など記号の照光指示部が照明光で明るく照らされる。
【００５５】
なお、照光板１１の下面１１ｂに、光を反射させるための白色や金属色の塗膜を形成することで、反射シート１２を省略することができる。この場合には、ユニットベース２１から延びる取付け突起２６，２６と取付け突起２７，２７が、支持穴１１ａに挿入された後に、照光板１１の下面１１ｂで折り曲げられて、照光板１１に直接にユニットベース２１が固定される。
【００５６】
図５に示す本発明の第２の実施の形態のキーボード装置１０１は、図１に示した支持基板部１０の下側に金属板の補強板７１が重ねられている。支持基板部１０と補強板７１は接着剤で固定され、あるいはねじ止めされ、または複数箇所に設けられた凹凸嵌合部で互いに嵌合されている。補強板７１には逃げ穴７２が形成されており、ユニットベース２１の取付け突起２６，２６および取付け突起２７，２７が、反射シート１２の下面で折り曲げられている折り曲げ固定部が、逃げ穴７２の内部に位置している。
【００５７】
図５に示すキーボード装置１０１は、ユニットベース２１が、実質的に照光板１１に固定されているが、照光板１１が補強板７１で補強されている。よって、複数のキーユニット２０を搭載した照光板１１が大きく撓んだり、折れるのを防止できるようになる。
【００５８】
補強板７１は、照光板１１を補強するものであるため、薄い平板を使用でき、補強板７１を設けてもキーボード装置１０１の全体を薄型に構成することが可能である。
【００５９】
図６に示す第３の実施の形態のキーボード装置１０２は、支持基板部１１０が、照光板１１と、その上のメンブレン積層体１３と、照光板１１の下面の反射シート１２と、さらに反射シート１２の下に重ねられた金属板の補強板７３とで構成されている。補強板７３には、照光板１１の支持穴１１ａに対応する位置に支持穴７４が開口している。
【００６０】
このキーボード装置１０２は、ユニットベース２１から折り曲げられた取付け突起２６，２６と取付け突起２７，２７が、メンブレン積層体１３の逃げ穴１３ｂ，１３ｂおよび逃げ穴１３ｃ，１３ｃに挿入され、照光板１１の４箇所の支持穴１１ａに挿入され、さらに反射シート１２の４箇所の穴１２ａを通過し、補強板７３に形成された４箇所の支持穴７４に挿入されている。そして、取付け突起２６，２６と取付け突起２７，２７の下端部が、補強板７３の下面で折られている。
【００６１】
このキーボード装置１０２は、ユニットベース２１が、照光板１１と補強板７３の双方に固定されている。よって、複数のキーユニット２０を搭載した照光板１１が大きく撓んだり、折れるのを防止できるようになる。
【００６２】
補強板７１は、照光板１１を補強するものであるため、薄い平板を使用でき、補強板７１を設けてもキーボード装置１０１の全体を薄型に構成することが可能である。
【００６３】
図７に、本発明の第４の実施の形態のキーボード装置２０１が示されている。図７には、ユニットベース１２１と照光板１１１のみが示されている。実際は、図３に示すように、照光板１１１の上にメンブレン積層体１３が、照光板１１１の下面に反射シート１２が設けられ、ユニットベース１２１に昇降支持機構３０が支持されているが、図７では、これらの部材の図示が省略されている。
【００６４】
図７に示すユニットベース１２１は、ベース部２２のＹ１側に一対の取付け突起２６ａ，２６ａが折り曲げられ、Ｙ２側に一対の取付け突起２７ａ，２７ａが折り曲げられている。取付け突起２６ａ，２６ａと取付け突起２７ａ，２７ａは、折り曲げ方向が一致している。それ以外のユニットベース１２１の構造は、図４に示したユニットベース２１と同じである。
【００６５】
取付け突起２６ａ，２６ａと取付け突起２７ａ，２７ａは、板面方向がＸ１−Ｘ２方向に向けられている。そのため、照光板１１１に形成される全ての支持穴１１ｄである長穴の長手方向は、Ｘ１−Ｘ２方向へ向けられている。
【００６６】
前記実施の形態と同様に、取付け突起２６ａ，２６ａと取付け突起２７ａ，２７ａは、メンブレン積層体１３の逃げ穴１３ｂ，１３ｃに挿通され、さらに照光板１１１の支持穴１１ｄに挿通され、取付け突起２６ａ，２６ａと取付け突起２７ａ，２７ａの下端が、照光板１１１の下面で折り曲げられ、または反射シート１２の下面で折り曲げられ、あるいは補強板７３の下面で折り曲げられている。
【００６７】
図７に示す照光板１１１は、全ての支持穴１１ｄの長手方向がＸ１−Ｘ２方向へ向けられている。そのため、ＬＥＤなどの光源から照光板１１１に入射する光の入射方向をＸ１−Ｘ２方向に向けることが好ましい。このように構成することで、照光板１１１の内部を伝播する照明光が支持穴１１ｄで減衰させられる確率を低下させることができる。
【００６８】
光源は複数設けられるため、ユニットベース１２１が取り付けられているキー実装部に最も近い位置にある光源から照光板１１１への光の入射方向をＸ１−Ｘ２方向へ向けることが好ましい。
【００６９】
図３と図４に示す第１の実施の形態は、ユニットベース２１から折り曲げられた取付け突起２６，２６の板面方向がＹ１−Ｙ２方向であり、照光板１１において取付け突起２６，２６が挿入される支持穴１１ａの長穴の長手方向がＹ１−Ｙ２方向である。またユニットベース２１から折り曲げられた取付け突起２７，２７は板面方向がＸ１−Ｘ２方向であり、支持穴１１ａの長穴の長手方向がＸ１−Ｘ２方向である。
【００７０】
この場合に、取付け突起２６，２６に最も近い位置にある光源から照光板１１への光の入射方向がＹ１−Ｙ２方向であり、取付け突起２７，２７に最も近い位置にある光源から照光板１１への光の入射方向がＸ１−Ｘ２方向であることが好ましい。
【００７１】
なお、ユニットベースの構造として、取付け突起２６ａと取付け突起２７ａが互いに平行となる向きに形成されていてもよい。
【符号の説明】
【００７２】
１，１０１，１０２，２０１  キーボード装置
２ａ，２ｂ，２ｃ，２ｄ  キートップ
１０，１１０  支持基板部
１１，１１１  照光板
１１ａ  支持穴
１２  反射シート
１３  メンブレン積層体
１３ｂ，１３ｃ  逃げ穴
１４  遮蔽部
１５  透光部
２０  キーユニット
２１  ユニットベース
２６，２６ａ，２７，２７ａ  取付け突起
３０  昇降支持機構
３１  第１のリンク
３２  第２のリンク
５０  弾性部材
７１，７３  補強板
７２  逃げ穴
７４  支持穴
【図１】
2013171714.tif 000003
【図２】
2013171714.tif 000004
【図３】
2013171714.tif 000005
【図４】
2013171714.tif 000006
【図５】
2013171714.tif 000007
【図６】
2013171714.tif 000008
【図７】
2013171714.tif 000009